(57)【要約】【課題】操作を容易かつ確実に行うとともに、撮影をしているか否かを確実に明示する。【解決手段】使用者の頭部に装着可能な装着具１０に取り付けられる筺体２１と、筺体２１に設けられた撮像レンズ２２ａを通して撮影を行う撮像部２２と、装着具１０を使用者が頭部に装着した状態で、少なくとも前記撮像部２２により撮影を行う際に使用者の視野の範囲内に配置され、筺体２１に対して移動可能に設けられたアーム２４と、アーム２４に設けられ、少なくとも撮像部２２で撮影した画像を表示する表示部２６と、アーム２４が移動操作されたときに、撮像部２２で撮影を行う撮影モードと、撮像部２２における撮影を停止する停止モードとを切り換える制御部と、を備える頭部装着型撮像装置１Ａを提供する。【選択図】図２
2013247639.tif 000002
【特許請求の範囲】
【請求項１】
使用者の頭部に装着可能な装着具に取り付けられる筺体と、
該筺体に設けられた撮像レンズを通して撮影を行う撮像部と、
前記装着具を前記使用者が頭部に装着した状態で、少なくとも前記撮像部により撮影を行う際に前記使用者の視野の範囲内に配置され、前記筺体に対して移動可能に設けられたアームと、
該アームに設けられ、少なくとも前記撮像部により取得した画像を表示する表示部と、
前記アームが移動操作されたときに、前記撮像部により撮影を行う撮影モードと、前記撮像部による撮影を停止する停止モードとを切り換える制御部と、
を備える頭部装着型撮像装置。
【請求項２】
前記停止モードにて、前記アームが前記撮像レンズの少なくとも一部を覆う請求項１に記載の頭部装着型撮像装置。
【請求項３】
前記停止モードにて、前記撮像レンズの少なくとも一部を覆い、前記撮影モードにて前記撮像レンズを開放する遮蔽部材をさらに備える請求項１に記載の頭部装着型撮像装置。
【請求項４】
前記遮蔽部材を、前記撮像レンズの少なくとも一部を覆う位置と、前記撮像レンズを開放する位置との間で移動させるアクチュエータを備え、
前記アクチュエータが、前記制御部により、前記アームの移動操作に連動して駆動される請求項３に記載の頭部装着型撮像装置。
【請求項５】
前記制御部が、前記アームの移動操作により、前記表示部に、前記撮像部により取得した画像の再生表示、または外部から伝送された画像データに基づく情報画像の表示を行う表示モードへの切り換えを行う請求項１から請求項４のいずれかに記載の頭部装着型撮像装置。
【請求項６】
前記アームが、前記撮影モードにあるときと、前記表示モードにあるときとで、その位置が互いに異なる請求項５に記載の頭部装着型撮像装置。
【請求項７】
前記アームは、前記撮影モードにおいては、使用者の瞳の正面に前記表示部が位置し、前記表示モードにおいては、使用者の瞳の正面からオフセットした位置に前記表示部が位置する請求項６に記載の頭部装着型撮像装置。
【発明の詳細な説明】
【技術分野】
【０００１】
本発明は、頭部装着型撮像装置に関するものである。
【背景技術】
【０００２】
近年、頭部に装着して使用者の視界内に配置した表示部により、映像や画像（以下、単に画像と称する）を、使用者の瞳に向けて映し出す頭部装着型表示装置の開発が進んでいる。このような頭部装着型表示装置を用い、外部のカメラをケーブルあるいは無線により接続し、カメラで撮像した画像を表示部で表示することにより、頭部装着型表示装置を、いわゆるビューファインダーとして用いる撮像装置が知られている（例えば、特許文献１参照。）。
【０００３】
このような構成において、装置を操作するには、使用者の耳の近傍に配置された操作部で、操作ボタンを操作するようになっている。
【先行技術文献】
【特許文献】
【０００４】
【特許文献１】特開２００８−８５８５４号公報
【特許文献２】特開２００５−３１１７５４号公報
【発明の概要】
【発明が解決しようとする課題】
【０００５】
しかしながら、使用者が装置を頭部に装着した状態では、操作ボタンを視認することができず、手探りで操作を行うこととなる。したがって、操作ボタンの配置を記憶していない場合には、装置の的確な操作が行えなくなってしまう。
また、カメラを表示部とともに頭部に装着することも考えられるが、そのような構成においても、上記問題は共通する。
【０００６】
ところで、近年、盗撮が社会的な問題になっている。頭部装着型の撮像装置においては、いわゆるデジタルカメラやビデオカメラを顔の前に構えることなく撮影が行えるため、周囲の人から見ると、使用者が盗撮を行っているのではないか、と誤解されやすい。このため、撮影しているか否かを、周囲にわかるように明示するのが好ましい。
通常、ビデオカメラやテレビカメラにおいては、撮影中であることを示すタリーランプが備えられているが、タリーランプは遮光性を有したテープ等を上から貼り付ければ、容易に隠ぺいできてしまう。そこで、タリーランプに代えて、撮影しているか否かを明示するのが好ましい。
【０００７】
本発明は、このような事情に鑑みてなされたものであって、操作を容易かつ確実に行うことのできる頭部装着型撮像装置を提供することを目的とする。
【課題を解決するための手段】
【０００８】
上記課題を解決するために、本発明は以下の手段を提供する。
本発明の一態様は、使用者の頭部に装着可能な装着具に取り付けられる筺体と、該筺体に設けられた撮像レンズを通して撮影を行う撮像部と、前記装着具を前記使用者が頭部に装着した状態で、少なくとも前記撮像部により撮影を行う際に前記使用者の視野の範囲内に配置され、前記筺体に対して移動可能に設けられたアームと、該アームに設けられ、少なくとも前記撮像部により取得した画像を表示する表示部と、前記アームが移動操作されたときに、前記撮像部で撮影を行う撮影モードと、前記撮像部における撮影を停止する停止モードとを切り換える制御部、とを備える頭部装着型撮像装置を提供する。
本態様によれば、使用者は、視野内に位置するアームを移動操作することにより、撮影モードと停止モードとの切り替えを行うことができ、操作を手探りで行うこともなく、操作をシンプルな動作で容易かつ確実に行うことができる。
また、アームの状態によって、撮影モードであるか否かを示すことができる。
ここで、アームは、回動動作を前記の移動操作としてもよいし、スライド操作、曲げ動作、伸縮操作等を移動操作としてもよい。
【０００９】
上記態様においては、前記停止モードにて、前記アームが前記撮像レンズの少なくとも一部を覆ってもよい。
停止モードでは撮像レンズの少なくとも一部がアームによって覆われることで、周囲に対し、撮影モードでないことを明示するとともに、この状態では撮影を物理的に行うことができなくなる。
なお、アームが遮光部を有する構成とすることで、例えば、アームの少なくとも一部を遮光性を有する遮光部とすることで、この遮光部によりレンズを覆うこととしてもよい。この場合、アームのうち少なくとも遮光部の幅を４ｍｍ以下とすることができる。また、撮像レンズの開口径を４ｍｍ以下とする。
【００１０】
上記態様においては、前記停止モードにて、前記撮像レンズの少なくとも一部を覆い、前記撮影モードにて前記撮像レンズを開放する遮蔽部材をさらに備えていてもよい。
停止モードでは、撮像レンズの少なくとも一部が遮蔽部材によって覆われることで、この状態では撮影を物理的に行うことができなくなる。
この遮蔽部材は、アームと一体に移動する構成とすることもできる。
また、上記態様においては、前記遮蔽部材を、前記撮像レンズの少なくとも一部を覆う位置と、前記撮像レンズを開放する位置との間で移動させるアクチュエータを備え、前記アクチュエータは、前記制御部によって前記アームの移動操作に連動して駆動されるようにしてもよい。
【００１１】
上記態様においては、前記制御部が、前記アームの移動操作により、前記表示部に、前記撮像部により取得した画像の再生表示、または外部から伝送された画像データに基づく情報画像の表示を行う表示モードへの切り換えを行ってもよい。
この態様においては、撮影モードにあるときと、表示モードにあるときとでは、アームの位置が互いに異なるのが好ましい。
さらに、この態様では、撮影モードにおいては、使用者の瞳の正面に表示部が位置し、表示モードにおいては、使用者の瞳の正面からオフセットした位置に表示部が位置するのが好ましい。これにより、撮影モードでは、撮影中の画像を、使用者が実際に視認している実像と重ね合わせて見ることができ、表示モードでは、使用者の視界の妨げにならないように情報画像を表示できる。
【発明の効果】
【００１２】
本発明によれば、操作を容易かつ確実に行うとともに、撮影をしているか否かを確実に明示するという効果を奏することができる。
【図面の簡単な説明】
【００１３】
【図１】本発明の第１実施形態にかかる頭部装着型撮像装置の外観を示す図であり、アームを撮影モードの位置としたときの頭部装着型撮像装置の斜視図である。
【図２】同、アームを撮影停止モードの位置としたときの頭部装着型撮像装置の斜視図である。
【図３】第１実施形態に係る頭部装着型撮像装置の構成を示すブロック図である。
【図４】アームを画像表示モードの位置としたときの頭部装着型撮像装置の斜視図である。
【図５】本発明の第２実施形態にかかる頭部装着型撮像装置の外観を示す図であり、アームを撮影モードの位置としたときの頭部装着型撮像装置の斜視図である。
【図６】同、アームを撮影停止モードの位置としたときの頭部装着型撮像装置の斜視図である。
【図７】第２実施形態に係る頭部装着型撮像装置の構成を示すブロック図である。
【発明を実施するための形態】
【００１４】
以下に、本発明に係る頭部装着型撮像装置の実施形態について、図面を参照して説明する。
〔第１実施形態〕
以下、本発明の第１実施形態に係る頭部装着型撮像装置について、図１を用いて説明する。
図１、図２は、本発明の第１実施形態に係る頭部装着型撮像装置１Ａの外観を示す斜視図、図３は、頭部装着型撮像装置１Ａのシステム構成を示すブロック図である。
図１、図２に示すように、頭部装着型撮像装置１Ａは、例えば眼鏡型の装着具１０と、装着具１０に取り付けられた撮像ユニット２０Ａと、を有している。
【００１５】
装着具１０は、使用者の目の前方に保持されるレンズ１１と、前端部がレンズ１１の両側に接続され、後端部が使用者の耳に係止されるテンプル１２と、を備える。
なお、この装着具１０は、眼鏡型に限らず、撮像ユニット２０Ａを使用者の頭部に装着できるのであれば、他のいかなる構成としても支障はない。
【００１６】
撮像ユニット２０Ａは、装着具１０のテンプル１２に取り付けられた筺体２１と、筺体２１の前面２１ａに撮像レンズ２２ａが露出するよう設けられた撮像部２２と、装着具１０のレンズ１１の前方に配置された表示ユニット２３と、を備えている。
【００１７】
表示ユニット２３は、基端部２４ａから先端部２４ｂに向けて延びるアーム２４と、アーム２４の基端部２４ａを筺体２１の前面２１ａに回動自在に連結するピボット部２５と、図示しない表示素子と、アーム２４の先端部２４ｂに設けられた表示部２６と、を有している。
【００１８】
ピボット部２５は、筺体２１の前面２１ａにおいて撮像レンズ２２ａよりも下方に設けられ、アーム２４を、レンズ１１の表面にほぼ平行な面内で回動可能に支持する。なお、このピボット部２５においては、アーム２４の回動範囲を、図１に示すように、先端部２４ｂがレンズ１１の前方に配置される位置と、図２に示すように、先端部２４ｂがレンズ１１の前方位置から退避した位置との間で、アーム２４の回動範囲が規制される。先端部２４ｂがレンズ１１の前方位置から退避した位置においては、先端部２４ｂが撮像部２２の撮像レンズ２２ａの前方を塞ぐ位置において、アーム２４の回動範囲を規制するのが特に好ましい。
【００１９】
アーム２４の先端部２４ｂで撮像部２２の撮像レンズ２２ａの前方を塞ぐ場合、アーム２４の先端部２４ｂの幅ｄ１は、撮像レンズ２２ａの開口外径ＦＤに対して同等もしくは大きくするのが好ましい。このようにすることで、撮像部２２によって画像を取得することができない状態、すなわち、後述する撮影停止モードであることが明確となる。また、先端部２４ｂと撮像レンズ２２ａの距離が大きくなる場合はアーム２４の先端部２４ｂの幅ｄ１を撮像レンズ２２ａの開口外径ＦＤよりも大きくすることが好ましい。
アーム２４の少なくとも一部を遮光性を有する遮光部とし、遮光部が撮像レンズを覆う構成とすることもできる。表示ユニットが、一般的な瞳サイズで瞳分割シースルーを実現するためには、アーム２４の先端部２４ｂ（光学プリズムバー）の幅ｄ１が一般的な瞳サイズである４ｍｍ以下であることが知られている。このため、撮像レンズは４ｍｍ以下の直径である場合に、アーム２４により十分に遮蔽されることとなるので、撮像レンズとして、４ｍｍ以下の直径を有する小口レンズやピンホールレンズを適用することが好ましい。
【００２０】
表示部２６は、液晶や有機ＥＬ等を用いた表示素子で表示する画像を、光学プリズムやレンズ、ミラー等の接眼光学系を用い、使用者の瞳に入射させる。このような表示部２６の方式としては、ハーフミラー式や、ホログラム式、光学バー式（例えば特許第４７６６９１３号公報参照。）等がある。
【００２１】
図３に示すように、筺体２１内には、撮像部２２および表示ユニット２３の動作を制御するため、制御部３０、画像処理部３１、記憶部３２、入出力部３３を機能的に実現する電子基板（図示無し）と、アーム位置検出部３４と、バッテリ（図示無し）とが内蔵されている。
【００２２】
制御部３０は、後に詳述するように、頭部装着型撮像装置１Ａの動作全体を制御する。
【００２３】
画像処理部３１は、制御部３０の制御により、撮像部２２で撮影した画像を処理し、その画像データを記憶部３２に記憶させる。
また、画像処理部３１では、撮像部２２の操作を行なうためのグラフィカルユーザインタフェース（ＧＵＩ）、外部から伝送された画像データ、記憶部３２に記憶された画像データに基づいて表示ユニット２３で画像表示を行うため、アプリケーション生成や表示画像を生成する。
【００２４】
入出力部３３は、制御部３０の制御により、外部のコンピュータ装置等と、通信ケーブルまたは無線を介した通信により、撮像部２２で撮影され、画像処理部３１で所定の処理が施された画像の出力、外部のコンピュータ装置等から出力される画像データの入力を受ける。
【００２５】
アーム位置検出部３４は、アーム２４が、その先端部２４ｂがレンズ１１の前方に配置されている状態にあるか否か、先端部２４ｂがレンズ１１の前方位置から退避した位置にあるか否かを検出し、その検出結果に応じた信号を制御部３０に出力する。このようなアーム位置検出部３４としては、回転接点によるスイッチ、磁石とホール素子を用いたセンサ、エンコーダーやフォトインタラプタとスリットを用いた方式等を採用することができる。
【００２６】
以下に、このような構成の頭部装着型撮像装置１Ａにおける動作について説明する。以下の動作は、制御部３０の制御により実現される。
（撮影モード）
頭部装着型撮像装置１Ａにおいては、使用者がアーム２４を、その先端部２４ｂがレンズ１１の前方に位置するよう回動操作すると、アーム位置検出部３４がそのアームの位置を検知し、制御部３０に信号を出力する。
制御部３０においては、信号を受けると、撮影開始信号を出力する。
【００２７】
撮影開始信号を受けると、撮像部２２、画像処理部３１が起動し、撮影が開始される。撮像部２２で撮影された画像のデータは、画像処理部３１を介して記憶部３２に記録される。さらに、その画像データは、入出力部３３を介し、外部に送信できるようになっている。
【００２８】
表示ユニット２３には、撮像部２２で撮影した画像をモニタリングするアプリケーション、もしくは撮像部２２で撮影した画像そのものを、その画面全体、もしくは画面の一部の領域で表示する。頭部装着型撮像装置１Ａの使用者は、表示ユニット２３によって表示される画像を見ながら撮影をおこない、表示ユニット２３をビューファインダーとして用いることとなる。このため、アーム２４は、その先端部２４ｂが使用者の瞳の正面に位置するよう配置するのが好ましい。
【００２９】
（撮影停止モード）
このようにして撮影を行っている状態から、図２に示すように、使用者がアーム２４を、その先端部２４ｂがレンズ１１の前方位置から退避した所定の位置に移動させると、アーム位置検出部３４がそれを検知し、制御部３０に信号を出力する。制御部３０においては、信号を受けると、撮影停止信号を出力する。
なお、この撮影モードから撮影停止モードへの移行を、アーム２４の先端部２４ｂが撮像部２２の撮像レンズ２２ａの前方を塞ぐ位置に移動したときに実行するのが好ましい。この場合は、アーム位置検出部３４が、アーム２４の先端部２４ｂが撮像部２２の撮像レンズ２２ａの前方を塞ぐ位置に移動したことを検出したときに、上記撮影停止モードへの移行処理を制御部３０が実行する。
【００３０】
撮影停止信号を受けると、撮像部２２、画像処理部３１が停止し、撮影が停止されるとともに、撮影画像の記憶部３２への記録も停止される。画像データが、入出力部３３を介し外部に送信されている場合には、その送信も停止される。
【００３１】
（表示モード）
また、本実施形態では、図４に示すように、アーム２４を、その先端部２４ｂが、レンズ１１の前方に位置しながらも、上記の撮影を行う位置からずれた位置に移動させると、撮像部２２による撮影を行わず、表示ユニット２３で情報表示を行うこともできる。
この場合、アーム位置検出部３４がアーム２４の位置を検知し、制御部３０に信号を出力すると、制御部３０においては、情報表示開始信号を出力する。
【００３２】
情報表示開始信号を受けると、制御部３０は、外部から伝送された画像データに基づく情報画像や、記憶部３２に記憶された画像データに基づく再生画像を、表示ユニット２３で表示することができる。
この状態では、アーム２４の先端部２４ｂを、使用者の瞳の正面からずれた位置に配置することにより、使用者の視界が遮られるのを防ぐのが好ましい。なお、情報画像には、キャラクター等の画像や、文字を画像化したもの等各種情報を提供可能な画像が含まれる。    
【００３３】
情報表示を行っていた状態から、アーム２４を、上記の撮影位置または撮影停止位置に移動させた場合には、アーム位置検出部３４がアーム２４の位置を検知し、制御部３０に信号を出力する。制御部３０においては、表示ユニット２３における情報表示を停止させた後、アーム２４の位置に応じて、撮影モードまたは、撮影停止モードに移行させる。
【００３４】
上述したようにして、使用者の視界内に位置するアーム２４を操作して、撮影モード、撮影停止モード、表示モードを切り換えることにより、頭部装着型撮像装置１Ａの操作を容易かつ確実に行うことが可能となる。
【００３５】
また、アーム２４の位置により、撮影を行っているか否かを明示することができる。
【００３６】
さらに、撮影を行っていないときには、アーム２４の先端部２４ｂで撮像レンズ２２ａを塞ぐことによって、物理的にも撮影を行うことができない状態にあり、撮影を行っていないことを、より一層明確に周囲に示すことができる。
【００３７】
加えて、撮影モードと表示モードとでアーム２４の位置を切り換えることで、表示ユニット２３において、撮影モードでは撮影中の画像を使用者が実際に視認している実像と重ね合わせて見ることができ、表示モードでは、使用者の視界の妨げにならないように情報画像や再生画像を表示できる。
【００３８】
なお、上記実施形態において、表示ユニット２３においても、撮影開始信号を受けたときに表示ユニット２３が起動するようにし、撮影停止信号を受けたときには表示ユニット２３が停止し、消費電力を押さえるようにすることもできる。
【００３９】
〔第２実施形態〕
次に、本発明の第２実施形態に係る頭部装着型撮像装置について、図５、図６を用いて説明する。以下に説明する第２実施形態においては、上記第１実施形態と共通する構成については図中に同符号を付してその説明を省略する。
図５、図６に示すように、頭部装着型撮像装置１Ｂは、例えば眼鏡型の装着具１０と、装着具１０に取り付けられた撮像ユニット２０Ｂと、を有している。
【００４０】
撮像ユニット２０Ｂは、筺体２１、撮像部２２、表示ユニット２３に加え、遮蔽部材５０を備えている。
【００４１】
遮蔽部材５０は、基端部５０ａが図示しないギヤやリンク等を介してピボット部２５に連結され、アーム２４の回動動作と連動して基端部５０ａを中心として回動するようになっている。
そして、撮像部２２で撮影するときには、図５に示すように、遮蔽部材５０の先端部５０ｂが、撮像レンズ２２ａの前方から退避して開放した状態に位置するようになっている。
また、撮影を停止しているときには、図６に示すように、遮蔽部材５０の先端部５０ｂは、撮像部２２の撮像レンズ２２ａを覆うように形成されている。この状態で、アーム２４じゃ、その先端部２４ｂがレンズ１１の前方位置から退避した所定の位置に配置するようになっている。なおこの場合、上記第１実施形態のように、アーム２４の先端部２４ｂで撮像部２２の撮像レンズ２２ａの前方を塞ぐ必要はないので、撮像を停止した状態での、アーム２４の先端部２４ｂの位置は、レンズ１１の前方位置から退避した位置でありながら、上記第１実施形態とは異なる位置とされる。
【００４２】
ここで、遮蔽部材５０の先端部５０ｂで、撮像部２２の撮像レンズ２２ａの前方を塞ぐに際し、遮蔽部材５０の先端部５０ｂの幅ｄ２は、撮像レンズ２２ａの開口外径ＦＤに対して同等もしくは大きくするのが好ましい。ただし、遮蔽部材５０と撮像レンズ２２ａとがの距離が離れる場合は、遮蔽部材５０の先端部５０ｂの幅ｄ２を撮像レンズ２２ａの開口外径ＦＤより大きくすることが好ましい。
【００４３】
図３に示したように、筺体２１内には、撮像部２２および表示ユニット２３の動作を制御するため、制御部３０、画像処理部３１、記憶部３２、入出力部３３を機能的に実現する電子基板（図示無し）と、アーム位置検出部３４と、バッテリ（図示無し）とが内蔵されている。
【００４４】
以下に、このような構成の頭部装着型撮像装置１Ｂにおける動作について説明する。以下の動作は、制御部３０の制御により実現される。
（撮影モード）
頭部装着型撮像装置１Ｂにおいては、使用者がアーム２４を、その先端部２４ｂがレンズ１１の前方に位置するよう回動操作すると、アーム位置検出部３４がそれを検知し、制御部３０に信号を出力する。この状態で、遮蔽部材５０は、アーム２４と連動して回動し、先端部５０ｂが撮像レンズ２２ａの前方から退避して撮像部２２による撮影が可能となっている。
制御部３０においては、信号を受けると、撮影開始信号を出力する。
【００４５】
撮影開始信号を受けると、上記第１実施形態と同様、撮像部２２、画像処理部３１が起動し、撮影が開始される。表示ユニット２３には、撮像部２２で撮影した画像をモニタリングするアプリケーション、もしくは撮像部２２で撮影した画像そのものを、その画面全体、もしくは画面の一部の領域で表示する。頭部装着型撮像装置１Ａの使用者は、表示ユニット２３によって表示される画像を見ながら撮影を行い、表示ユニット２３をビューファインダーとして用いることとなる。
【００４６】
（撮影停止モード）
このようにして撮影を行っている状態から、使用者がアーム２４を回動させると、アーム位置検出部３４がそれを検知し、制御部３０に信号を出力する。この状態で、アーム２４に連動して遮蔽部材５０が回動し、先端部５０ｂが撮像レンズ２２ａの前方を覆う位置に移動する。
制御部３０においては、信号を受けると、撮影停止信号を出力する。
【００４７】
撮影停止信号を受けると、撮像部２２、画像処理部３１が停止し、撮影が停止されるとともに、撮影画像の記憶部３２への記録も停止される。画像データが、入出力部３３を介し外部に送信されている場合には、その送信も停止される。
【００４８】
また、本実施形態においても、アーム２４を、その先端部２４ｂが、レンズ１１の前方に位置しながらも、上記の撮影を行う位置からずれた位置に移動させて、撮像部２２による撮影を行わず、表示ユニット２３で情報表示を行うこともできる。
【００４９】
上述したようにして、使用者の視界内に位置するアーム２４を操作して、撮影開始、撮影停止、情報表示等を切り換えることにより、頭部装着型撮像装置１Ｂの操作を容易かつ確実に行うことが可能となる。
【００５０】
また、アーム２４に連動して回動する遮蔽部材５０の位置によって、撮影を行っているか否かを周囲に明示することができる。撮影を行っていないときには、遮蔽部材５０の先端部５０ｂで撮像レンズ２２ａを塞ぐので、物理的にも撮影を行うことができず、確実な明示が行える。
【００５１】
〔第２実施形態の変形例〕
上記第２実施形態においては、遮蔽部材５０を、ピボット部２５にギヤやアーム等を介して機械的に連結し、アーム２４と連動して回動する構成としたが、本実施形態においては、遮蔽部材５０を、ピボット部２５とは別体とし、アクチュエータによって遮蔽部材５０を移動させるようにしてもよい。
このような構成においては、図７に示すように、アーム２４の位置をアーム位置検出部３４で検出し、制御部３０では、アーム２４の位置に応じて、アクチュエータ５５を制御し、遮蔽部材５０を、撮像レンズ２２ａの前方位置と、前方位置から退避した位置との間で移動させる。
【００５２】
具体的には、使用者がアーム２４を回動させ、その先端部２４ｂがレンズ１１の前方の所定位置に位置するよう回動操作すると、アーム位置検出部３４がそれを検知し、制御部３０に信号を出力する。すると、制御部３０は、アクチュエータ５５に開信号を出力し、これを受けたアクチュエータ５５では、図５に示したように、遮蔽部材５０を撮像レンズ２２ａの前方から退避させ、撮像部２２による撮影が可能な状態とする。なお、遮蔽部材５０以外の動作については上記第２実施形態と同様である。
【００５３】
図６に示したように、撮影を行っている状態から、使用者がアーム２４を回動させ、先端部２４ｂがレンズ１１の前方位置から退避すると、アーム位置検出部３４がこれを検知し、制御部３０に信号を出力する。すると、制御部３０は、アクチュエータ５５に閉信号を出力し、これを受けたアクチュエータ５５では、遮蔽部材５０を撮像レンズ２２ａの前方に移動させ、撮像レンズ２２ａを物理的に遮蔽する。
【００５４】
なお、上記第１、第２実施形態では、アーム２４や遮蔽部材５０の回動により、撮影の開始・停止の切り換え、撮像レンズ２２ａの遮蔽・開放の切り換えを行ったが、回動操作以外にも、アーム２４や遮蔽部材５０のスライド動作や、曲げ動作、伸縮動作等によって、同様の機能を実現するようにしてもよい。
また、装着具１０を眼鏡型としたが、これに限るものではなく、ヘルメット、ヘッドフォン、帽子、バンド等を装着具１０とすることもできる。
これ以外にも、本発明の主旨を逸脱しない限り、上記各実施形態で示した構成を他の構成に変更したり、適宜組み合わせたりすることが可能である。
【符号の説明】
【００５５】
１Ａ，１Ｂ  頭部装着型撮像装置
１０  装着具
１１  レンズ
１２  テンプル
２０Ａ，２０Ｂ  撮像ユニット
２１  筺体
２２  撮像部
２２ａ  撮像レンズ
２３  表示ユニット
２４  アーム
２４ａ  基端部
２４ｂ  先端部
２５  ピボット部
２６  表示部
３０  制御部
３１  画像処理部
３２  記憶部
３３  入出力部
３４  アーム位置検出部
５０  遮蔽部材
５０ａ  基端部
５０ｂ  先端部
５５  アクチュエータ
【図１】
2013247639.tif 000003
【図２】
2013247639.tif 000004
【図３】
2013247639.tif 000005
【図４】
2013247639.tif 000006
【図５】
2013247639.tif 000007
【図６】
2013247639.tif 000008
【図７】
2013247639.tif 000009